(57)【要約】【課題】  外開き型のドアと内開き型のドアとに兼用可能なドア用補助錠、補助錠の取付具及び該補助錠に用いられる受け具を提供する。【解決手段】  外開き型のドア２の場合は、当該ドア２が外開き操作されると、錠本体３から突出されたデッドボルト４がドア枠の梁部５に取付けられた受け具６の外開き阻止部３７に当接されて当該ドア２の外開き動作が阻止される。また、内開き型のドア２の場合は、当該ドア２が内開き操作されると、錠本体３から突出されたデッドボルト４がドア枠の梁部５に取付けられた受け具６の内開き阻止部３８に当接されて当該ドア２の内開き動作が阻止される。したがって、受け具６を用いることにより、補助錠１を外開き型のドア２と内開き型のドア２とに兼用することができる。【選択図】  図１
2007056531.tif 000002
【特許請求の範囲】
【請求項１】
ドアの室内側に装置されて遠隔操作によって突出されるデッドボルトを備えた錠本体と、ドア枠に取付けられて、突出された前記デッドボルトを拘束して前記ドアの外開き動作及び内開き動作を阻止する受け具と、からなることを特徴とするドア用補助錠。
【請求項２】
遠隔操作によって突出されるデッドボルトを備えた補助錠をドアに装置するための補助錠の取付具であって、
前記取付具は、前記ドアの上部に装着されるドア側取付具と、前記補助錠に装着される本体側取付具と、に分割して構成されて、
前記本体側取付具は、ドア幅方向の両側面に上下一対で設けられて、前記本体側取付具に前記ドア側取付部を取付固定するための留め具が装着される取付孔を備えて、
前記ドア側取付具は、ドア幅方向に間隔を有して対向する一対の本体取付片と、各本体取付片に上下一対で設けられて、上下の各取付孔に装着される各留め具が水平方向に移動されることにより前記補助錠の位置が前記ドアの厚みに対応して調節される長孔と、少なくとも一方の長孔の下縁部に所定間隔で配設されて、上下の各取付孔に装着される各留め具が選択的に係合されることにより前記補助錠が前記ドアに対して水平方向に位置決めされる凹部と、を備えることを特徴とする補助錠の取付具。
【請求項３】
ドアの室内側に装置されて遠隔操作によって突出されるデッドボルトを備えたドア用補助錠に用いられる受け具であって、
ドア枠への取付部と、突出された前記デッドボルトを拘束して前記ドアの外開き動作を阻止する外開き阻止部と、突出された前記デッドボルトを拘束して前記ドアの内開き動作を阻止する内開き阻止部と、を具備することを特徴とする受け具。
【請求項４】
前記受け具は、下面を開口した断面コ字状の溝部を備えて、該溝部の対向する一対の壁部に、前記外開き阻止部及び前記内開き阻止部が形成されることを特徴とする請求項３に記載の受け具。
【請求項５】
前記溝部は、前記ドア枠の開口部縁端に沿って延設されることを特徴とする請求項３又は４に記載の受け具。
【発明の詳細な説明】
【技術分野】
【０００１】
本発明は、建物等の出入り口のドアに装置されて遠隔操作によって出没されるデッドボルトを備えるドア用補助錠、補助錠の取付具及び該補助錠に用いられる受け具に関する。
【背景技術】
【０００２】
近年、特殊開錠工具を用いて建物錠を開錠する、所謂ピッキングやサムターン回し等による侵入行為及び盗難の被害が社会問題になっており、既存のドアに後付けされる補助錠への感心が高まっている。このような補助錠には、例えば、特許文献１に記載の建具用錠機構がある。この建具用錠機構は、ドアの室内側に取付けられて、内蔵された閂片（デッドボルト）がリモコン操作によって出没されて、ドアの室外側から不正に施錠解除することができないため、高い安全性が確保される。しかしながら、この建具用錠機構は、突出された閂片がドア枠の室内側の側面に当接されてドアが室外側へ開動作されるのが制止される構造であるため、開示された実施の形態のように、室外側へ回動されて開かれるタイプ（以下、外開き型と称する。）のドアのみに適用されて、室内側へ回動されて開かれるタイプ（以下、内開き型と称する。）のドアへの適用は想定外である。
【０００３】
また、特許文献２には、電子キーの操作によって、補助錠本体に内蔵されたロック片（デッドボルト）が突出されて、当該ロック片がロック片受け体に係合されることにより施錠が完了するドア用補助錠が開示されている。この補助錠では、ドアの室内側に取付けられた補助錠本体から突出されたロック片がドア枠に固定されたロック片受け体によって拘束されてドアが室外側へ開動作されるのが制止される。しかしながら、特許文献２の補助錠においても、上記特許文献１の錠機構と同様に、外開き型のドアに使用する目的で開発されたものであって、内開き型のドアへの適用は想定外である。仮に、特許文献２の補助錠を外開き型のドアと内開き型のドアとに兼用する場合、ドアを内開き動作させた際にロック片受け体がドアに干渉するためドアを室内側へ開くことができない。さらに、ロック片受け体を、ロック孔に突出されたロック片が挿通されるように厳格に位置決めして取付固定する必要があるため、ロック片受け体の取付には多大な手間と時間とを要する。
【特許文献１】第３０９０１１８号登録実用新案公報（段落番号００１０〜００１６、図１及び図２）
【特許文献２】特開２００４−２１８２９６号公報（段落番号００２０〜００２２、図９）
【発明の開示】
【発明が解決しようとする課題】
【０００４】
そこで本発明は、上記事情に鑑みてなされたもので、第１の目的は、外開き型のドアと内開き型のドアとに兼用可能なドア用補助錠を提供することにある。
また、第２の目的は、外開き型のドアと内開き型のドアとに兼用可能なドア用補助錠の取付具を提供することにある。
また、第３の目的は、ドア用補助錠が外開き型のドアと内開き型のドアとに兼用可能な受け具を提供することにある。
【課題を解決するための手段】
【０００５】
上記第１の目的を達成するために、本発明のうち請求項１に記載のドア用補助錠は、ドアの室内側に装置されて遠隔操作によって突出されるデッドボルトを備えた錠本体と、ドア枠に取付けられて、突出されたデッドボルトを拘束してドアの外開き動作及び内開き動作を阻止する受け具と、からなることを特徴とする。
上記第２の目的を達成するために、本発明のうち請求項２に記載の発明は、遠隔操作によって突出されるデッドボルトを備えた補助錠をドアに装置するための補助錠の取付具であって、取付具は、ドアの上部に装着されるドア側取付具と、補助錠に装着される本体側取付具と、に分割して構成されて、本体側取付具は、ドア幅方向の両側面に上下一対で設けられて、本体側取付具にドア側取付部を取付固定するための留め具が装着される取付孔を備えて、ドア側取付具は、ドア幅方向に間隔を有して対向する一対の本体取付片と、各本体取付片に上下一対で設けられて、上下の各取付孔に装着される各留め具が水平方向に移動されることにより補助錠の位置がドアの厚みに対応して調節される長孔と、少なくとも一方の長孔の下縁部に所定間隔で配設されて、上下の各取付孔に装着される各留め具が選択的に係合されることにより補助錠がドアに対して水平方向に位置決めされる凹部と、を備えることを特徴とする。
【０００６】
上記第３の目的を達成するために、本発明のうち請求項３に記載の発明は、ドアの室内側に装置されて遠隔操作によって突出されるデッドボルトを備えたドア用補助錠に用いられる受け具であって、ドア枠への取付部と、突出されたデッドボルトを拘束してドアの外開き動作を阻止する外開き阻止部と、突出されたデッドボルトを拘束してドアの内開き動作を阻止する内開き阻止部と、を具備することを特徴とする。
請求項４に記載の発明は、請求項３に記載の受け具において、受け具は、下面を開口した断面コ字状の溝部を備えて、該溝部の対向する一対の壁部に、外開き阻止部及び内開き阻止部が形成されることを特徴とする。
請求項５に記載の発明は、請求項３又は４に記載の受け具において、溝部は、ドア枠の開口部縁端に沿って延設されることを特徴とする。
【０００７】
したがって、請求項１及び３に記載の発明では、ドアが外開き操作されると、突出されたデッドボルトが受け具の外開き阻止部によって拘束されて、当該ドアの外開き動作が阻止される。また、ドアが内開き操作されると、突出されたデッドボルトが受け具の内開き阻止部によって拘束されて、当該ドアの内開き動作が阻止される。
請求項２に記載の発明では、少なくとも一方の取付孔に装着された留め具が長孔内を水平方向へ移動されることにより、補助錠の位置がドアの厚みに対応して調節される。また、少なくとも一方の取付孔に装着された留め具が選択された凹部に係合されることにより、補助錠がドアに対して水平方向に位置決めされる。
請求項４に記載の発明では、突出されたデッドボルトが、受け具の溝部によって拘束される。
請求項５に記載の発明では、突出されたデッドボルトがドア枠の開口部縁端に沿って延設された溝部によって拘束される。
【発明の効果】
【０００８】
外開き型のドアと内開き型のドアとに兼用可能なドア用補助錠、補助錠の取付具及び該補助錠に用いられる受け具を提供することができる。
【発明を実施するための最良の形態】
【０００９】
本発明の一実施の形態を図１〜図５に基づいて説明する。図１に示されるように、本補助錠１は、住宅の玄関その他建物の出入口のドア２に装置されて、錠本体３に収容されるデッドボルト４が遠隔操作によって出没される構造になっている。そして、本補助錠１は、錠本体３から突出されたデッドボルト４が、ドア枠の梁部５に取付けられた受け具６によって拘束されることにより、外開き型のドア２に装置された場合は、当該ドア２の外開き動作（図１における左側への開動作）が、また、内開き型のドア２に装置された場合は、当該ドア２の内開き動作（図１における右側への開動作）がそれそれ阻止されて、外開き型のドア２と内開き型のドア２とに兼用される構造になっている。なお、図１では、説明を簡単にするために、ドア２の戸当りを図示していないが、外開き型のドア２の場合は室内側に、内開き型のドア２の場合は室外側に、それぞれ戸当りが設置されている。
【００１０】
図１に示されるように、上記錠本体３は、外観が箱状に形成されて、ブラケット８（取付具）によって上記ドア２の上部の室内側（図１における右側）に取付けられる。そして、上記錠本体３は、上記デッドボルト４が、錠本体３に収容される駆動機構の駆動によって上下方向（図１における上下方向）に移動される構造になっている。また、本補助錠１は、上記ブラケット８によって上記ドア２の上部の室外側（図１における左側）に取付けられて送信装置によって送信された赤外線信号を受信する受信装置９を備えて、該受信装置９によって受信された受信信号に基づいて上記駆動機構が作動されることにより、上記デッドボルト４が突出若しくは退避される構造になっている。なお、上記デッドボルト４には、コ字形に形成される補強部材１０（図３参照）が装着される。図２に示されるように、上記ブラケット８は、ステンレス材によって形成される３つのプレス部品１１，１２，１３（以下、ブラケット部材１１，１２，１３と称する。）に分割して構成される。
【００１１】
上記ブラケット部材１１は、上記錠本体３のドア２に対向して配置される面１４（以下、錠本体３の背面１４と称する。）に合わせられると共に上記錠本体３と上記受信装置９とを接続するケーブル１５（図３参照）が挿通されるケーブル挿通孔１６と上記錠本体３の背面１４に突設された凸部１７が嵌合される本体支持孔１８とが配設される基片１９を有する。また、上記ブラケット部材１１は、上記基片１９の幅方向（図１における紙面視方向）両側縁端に、当該基片１９の上記錠本体３の背面１４が合わせられる面とは反対側の面側にＬ字状に折り曲げられて形成される側片２０が設けられる。また、上記ブラケット部材１２（本体側取付具）は、ねじ挿通孔２１に挿通されたねじが上記ブラケット部材１１のねじ孔２２に螺合されて締付けられることにより、上記錠本体３の上部とブラケット部材１１とを束縛した状態で該ブラケット部材１１に固定されるように構成される。
【００１２】
上記ブラケット部材１３（ドア側取付具）は、上記ドア２の上部に支持される上片２３を有して、該上片２３の室外側（図１における左側）縁端には、上記ドア２の上部の室外側の面に沿って垂設される受信装置取付片２４が設けられる。そして、図４に示されるように、該受信装置取付片２４には、監視カメラ（ダミーカメラ）の筐体を用いて構成される受信装置９が取付固定されて、上記監視カメラのレンズの位置に当該受信装置の受信部が配置される。また、上記ブラケット部材１３は、上記上片２３の幅方向（図１における紙面視方向）両側縁端に本体取付片２５が垂設されて、図１に示されるように、各本体取付片２５には、水平（図１における左右方向）に延びて鉛直方向（図１における上下方向）に配列される３つの長孔２６，２７，２８が設けられる。なお、上記３つの長孔２６，２７，２８のうちの上下の長孔２６，２８は、下縁部に、後述する固定ねじ２９（留め具）のねじ部の外形に整合されて形成される複数個の凹部３０が所定ピッチで配設される。
【００１３】
上記受け具６は、ステンレス材によって形成されるプレス部品であって、図１及び図５に示されるように、上記ドア枠の梁部５に沿って水平に延びて下向きに開口される断面コ字状の溝部７を備えて、該溝部７を構成する３つの片における対向する一対の片（壁部）のうち、室外側（図１における左側）に配置される片（壁部）に外開き阻止部３７が形成されると共に、室内側（図１における右側）に配置される片（壁部）に内開き阻止部３８が形成される。また、上記受け具６は、上記溝部７を構成する３つの片のうちの室外側に配置される片の下端部に連続されて上記ドア枠の梁部５の下面５ａの室内側縁端に固定される固定片３５（取付部）と、上記溝部７を構成する３つの片のうちの上側に水平に配置される片が垂直に切起し加工されて形成されて、上記ドア枠の梁部５の正面５ｂに固定される固定片３６（取付部）とを備える。なお、上記受け具６は、上記溝部７の内角部（屈折部内側）に、剛性を高めるためのリブ３４が配設される。
【００１４】
そして、本補助錠１では、上記ブラケット部材１３の各本体取付片２５の上下の各長孔２６，２８に挿通された上下の各固定ねじ２９が、図３に示される上記錠本体３を束縛した状態の上記ブラケット部材１２の対応する上下の各ねじ孔３１，３３（取付孔）に螺合（仮止め）されて上記ブラケット８が仮組みされて、上記ブラケット部材１３の受信装置取付片２４とブラケット部材１１との間に上記ドア２が差入れられて仮組みされた上記ブラケット８が当該ドア２の上部に装着される構造になっている。この状態で、上下の各固定ねじ２９のねじ部を上下の各長孔２６，２８の選択された各凹部３０に係合させて、図１に示されるように、上記錠本体３から突出されたデッドボルト４が上記受け具６の溝部７を構成する３つの片のうちの対向する一対の片（壁部）間に位置されるようにして、上記錠本体３の位置が調整される構造になっている。
【００１５】
そして、上記錠本体３が位置決めされた後、中間の固定ねじ２９が上下の長孔２６，２８間に配設された各長孔２７に挿通されて上記ブラケット部材１２の対応する各ねじ孔３２に螺合されて、この状態で、全ての固定ねじ２９（本実施の形態では、６つの固定ねじ２９。）が締付けられることにより、本補助錠１が上記ドア２に装置される構造になっている。これにより、本補助錠１では、外開き型のドア２に装置された場合は、上記ドア２が外開き操作されると、上記錠本体３から突出されたデッドボルト４が上記受け具６の溝部７の外開き阻止部３７に当接されて当該ドア２の外開き動作が阻止される。また、内開き型のドア２に装置された場合は、上記ドア２が内開き操作されると、上記錠本体３から突出されたデッドボルト４が上記受け具６の溝部７の内開き阻止部３８に当接されて当該ドア２の内開き動作が阻止される構造になっている。
【００１６】
次に、本補助錠１の作用を説明する。まず、ドア２がドア枠に収容された状態で、ドア２の室外側（図１における左側）の操作者によって送信装置（赤外線小型リモコン）が施錠操作されると、該送信装置から施錠信号（赤外線信号）が発せられる。そして、該施錠信号が受信装置９の受信部（ダミーカメラのレンズ部分）によって受信されると、錠本体３に収容された駆動機構が作動されて、図１に示されるように、錠本体３からデッドボルト４が突出されて本補助錠１が施錠される。そして、本補助錠１が外開き型のドア２に装置された場合は、本補助錠１が施錠された状態でドア２が外開き操作されると、デッドボルト４がドア枠の梁部５に固定された受け具６の溝部７の外開き阻止部３７に当接されることにより、当該ドア２の外開き動作が阻止される。また、内開き型のドア２に装置された場合は、ドア２が内開き操作されると、デッドボルト４がドア枠の梁部５に固定された受け具６の溝部７の内開き阻止部３８に当接されることにより、当該ドア２の内開き動作が阻止される。
【００１７】
このように、本補助錠１は、外開き型のドア２、または内開き型のドア２のどちらに装置した場合でも、それぞれのドア２の開き動作が確実に阻止される。
そして、図１に示される本補助錠１が施錠された状態から当該補助錠１を開錠させる場合には、操作者によって送信装置が開錠操作される。これにより、錠本体３に収容された駆動機構が作動されて、デッドボルト４が錠本体３内へ退避されて本補助錠１が開錠される。
【００１８】
この実施の形態では以下の効果を奏する。
本補助錠１では、外開き型のドア２に装置された場合は、当該ドア２が外開き操作されると、錠本体３から突出されたデッドボルト４がドア枠の梁部５に取付けられた受け具６の外開き阻止部３７に当接されて、当該ドア２の外開き動作が阻止される。また、内開き型のドア２に装置された場合は、当該ドア２が内開き操作されると、錠本体３から突出されたデッドボルト４がドア枠の梁部５に取付けられた受け具６の内開き阻止部３８に当接されて、当該ドア２の内開き動作が阻止される。
したがって、本補助錠１は、受け具６を用いることにより、外開き型のドア２と内開き型のドア２とに兼用に装置することができる。
これにより、本補助錠１では、外開き型のドア２向けの錠本体３と内開き型のドア２向けの錠本体３とを別個に用意する必要がないため、双方を別個に用意する場合と比較して製造コストが低減される。
【００１９】
また、本補助錠１では、錠本体３から突出されたデッドボルト４が受け具６の水平に延びる溝部７の対向する一対の片（壁部）間に位置されるようにして錠本体３が受け具６に対して位置決めされるため、錠本体３の水平方向への位置決め幅が広い。
さらに、本錠本体３では、ブラケット８に設けられる各長孔２６，２７，２８が用いられて錠本体３がドア２の厚み方向（図１における左右方向）に位置決めされるため、ブラケット部材１３に設けられる各丸孔とブラケット部材１２に設けられる各ねじ孔３１，３２，３３とを整合させた状態で各丸孔に挿通させた各固定ねじ２９を各ねじ孔３１，３２，３３に螺合させる従来の補助錠１で問題になっていた煩雑な作業が廃止される。
また、上下の長孔２６，２８の下縁部に所定ピッチで凹部３０を配設したことにより、錠本体３の位置決めを容易にすることができると共に位置決め後に錠本体３がドア２に対して当該ドア２の厚み方向へ移動してしまうのを防ぐことができる。これにより、本補助錠１は、誰にでも簡単に且つ確実に取付けることができる。
また、本補助錠１では、ダミーカメラを流用して受信装置としたので、犯罪行為の抑止効果が期待できる。
【００２０】
なお、実施の形態は上記に限定されるものではなく、例えば次のように構成してもよい。
本実施の形態では、錠本体３がブラケット８を介してドア２の上部に装着されるが、錠本体３を、態様に応じたブラケットを介してドア２の上下方向へ延びる側縁部に装着してもよい。この場合、補助錠１が外開き型のドア２に装置された場合は、ドア２が外開き操作されると、錠本体３から（横向きに）突出されたデッドボルト４がドア枠の上下方向に配置された柱部５に取付けられた受け具６の外開き阻止部３７当接されて当該ドア２の外開き動作が阻止される。また、内開き型のドア２に装置された場合は、ドア２が内開き操作されると、錠本体３から突出されたデッドボルト４がドア枠の上下方向に配置された柱部５に取付けられた受け具６の内開き阻止部３８に当接されて当該ドア２の内開き動作が阻止される。
また、例えば、図６に示される断面がクランク状に形成された受け具６を用いてもよい。この形態では、外開き型のドア２の場合は、錠本体３から突出されたデッドボルト４をドア枠に直接当接させてドア２の外開き動作を阻止して、内開き型のドア２の場合は、錠本体３から突出されたデッドボルト４が受け具６の内開き阻止部３８に当接してドア２の内開き動作を阻止する。
また、ブラケット８の構成並びに各ブラケット部材１１，１２，１３の形状は、錠本体３の位置決め機構を有するものであればよく、また、ドア２の厚み方向への位置決めに加えて、高さ方向（図１における上下方向）に位置決め可能な機構を付与して構成してもよい。
【図面の簡単な説明】
【００２１】
【図１】本実施の形態の説明図である。
【図２】ブラケットの分解斜視図である。
【図３】ブラケット部材によって錠本体が束縛された状態を示す図である。
【図４】ブラケット部材に受信装置としてのダミーカメラが取付けられた状態を示す図である。
【図５】受け具の斜視図である。
【図６】他の実施の形態の説明図である。
【符号の説明】
【００２２】
１  補助錠、２  ドア、３  錠本体、４  デッドボルト、５  ドア枠、６  受け具、７  溝部、８  ブラケット（取付具）、１２  ブラケット部材（本体側取付具）、１３  ブラケット部材（ドア側取付具）、２５  本体取付片、２６，２８  長孔、２９  固定ねじ（留め具）、３０  凹部、３１，３３  ねじ孔（取付孔）３５，３６  固定片（取付部）、３７  外開き阻止部、３８  内開き阻止部
【図１】
2007056531.tif 000003
【図２】
2007056531.tif 000004
【図３】
2007056531.tif 000005
【図４】
2007056531.tif 000006
【図５】
2007056531.tif 000007
【図６】
2007056531.tif 000008